(57)【要約】【課題】ジョイントコネクタを筐体へ固定する際に、固定専用の部品等を追加せずに、ジョイントコネクタのハウジングと筐体との間の隙間を埋めて、耐震性を向上させることのできるジョイントコネクタを提供すること。【解決手段】第１ハウジング１０のジョイント端子収容部１１から突出するアース端子付きジョイント端子２０のアース端子部２２は、アース接続部にねじ止めされる接地板部２２ａと、該接地板部２２ａの一側から略垂直に立ち上がってジョイント端子収容部１１内のジョイント端子部に繋がる起立板部と、を備え、第１ハウジング１０に嵌合接続された第２ハウジング３０に装着される電線カバー４０は、接地板部２２ａを接地筐体のアース接続部にねじ止めした状態で第１ハウジング１０と接地筐体との間に残存する隙間に進入して隙間を埋める平板部４５と、起立板部が嵌合するように平板部４５に形成されて平板部４５を起立板部に連結するスリット４８と、を備える。【選択図】図１
2014089811.tif 000002
【特許請求の範囲】
【請求項１】
一端にジョイント端子収容部を備えると共に、他端にハウジング嵌合部を備えた第１ハウジングと、
前記ジョイント端子収容部に収容されて支持されるジョイント端子部を一端に備えると共に、他端には前記ジョイント端子収容部から第１ハウジングの外部に突出して平坦な接地筐体のアース接続部にねじ止め可能なアース端子部を備えるアース端子付きジョイント端子と、
前記ジョイント端子部に嵌合する複数の端子金具を収容して前記ハウジング嵌合部に嵌合する第２端子収容部を一端に備えると共に、他端には前記端子金具に接続された電線が導出する電線挿通部が備えられた第２ハウジングと、
前記第２ハウジングの他端側と前記他端から導出する電線群の周囲を覆って前記電線群の導出方向を規制する電線カバーであって、前記第２ハウジングの側方からの挿抜操作により前記第２ハウジングの他端と前記電線群の上に着脱可能な電線カバーと、
を備えるジョイントコネクタであって、
前記アース端子部は、前記平坦な接地筐体の表面に重ねられて前記アース接続部にねじ止めされる接地板部と、該接地板部の一側から略垂直に立ち上がって前記ジョイント端子部に繋がる起立板部と、を備え、
前記電線カバーは、該電線カバーに一体形成された平板部であって、前記接地板部を前記アース接続部にねじ止めした状態で前記第１ハウジングと前記接地筐体との間に残存する隙間に進入して前記隙間を埋める平板部と、該平板部が前記隙間に進入するときに前記起立板部が挿通するように前記平板部に形成されたスリットと、を備えたことを特徴とするジョイントコネクタ。
【請求項２】
請求項１に記載のジョイントコネクタにおいて、
前記電線カバーの前記第２ハウジングの他端側と前記電線群の周囲を覆う部位は、一側がヒンジ結合された上下一対のカバー部で形成されていて、前記一対のカバー部を開いた状態にすることで、前記第２ハウジングの他端と前記電線群の上に挿抜可能なことを特徴とするジョイントコネクタ。
【請求項３】
請求項１又は２に記載のジョイントコネクタにおいて、
前記アース端子部は、前記アース接続部とのねじ止め位置から離れた位置で前記接地筐体に係合する係合爪を備え、係合爪の係合によって回り止めされることを特徴とするジョイントコネクタ。
【発明の詳細な説明】
【技術分野】
【０００１】
本発明は、ジョイントコネクタに関する。
【背景技術】
【０００２】
図９は、下記特許文献１に開示されたジョイントコネクタを示したものである。
【０００３】
特許文献１のジョイントコネクタ１００は、第１ハウジング１１０と、アース端子付きジョイント端子１２０と、第２ハウジング１３０と、を備えている。このジョイントコネクタ１００は、平坦な接地筐体１４０の表面に取り付けられる。
【０００４】
第１ハウジング１１０は、一端にジョイント端子収容部１１１を備えると共に、他端にハウジング嵌合部１１２を備えている。また、第１ハウジング１１０の側面には、接地筐体１４０に形成された係止孔１４１に係合する係合片１１３が装備されている。
【０００５】
係合片１１３は、係止孔１４１を挿通する柱部１１３ａと、柱部１１３ａの先端から突出する裏面当接部１１３ｂと、を備えている。
【０００６】
柱部１１３ａは、その外周部が係止孔１４１の内周面に当接することによって、第１ハウジング１１０が当接方向へ移動（振動）することを規制するもので、回り止めとして機能する。
【０００７】
裏面当接部１１３ｂは、柱部１１３ａと直交する方向に突出して設けられていて接地筐体１４０の裏面に当接することで、当接方向である第１ハウジング１１０の浮き上がり方向への移動（振動）を防止する。
【０００８】
アース端子付きジョイント端子１２０は、ジョイント端子収容部１１１に収容されて支持されるジョイント端子部１２１を一端に備えると共に、他端にはアース端子部１２２を備えている。
【０００９】
アース端子部１２２は、ジョイント端子収容部１１１から第１ハウジング１１０の外部に突出している。アース端子部１２２は、接地筐体１４０の表面に重ねられる接地板部１２２ａと、この接地板部１２２ａの一側をジョイント端子部１２１に繋げる起立板部１２２ｂと、を備えている。接地板部１２２ａは、ねじ部材１５０を挿通させるねじ挿通孔１２２ｃを有していて、接地筐体１４０のアース接続孔１４２にねじ止めされる。
【００１０】
起立板部１２２ｂは、接地板部１２２ａの一側から略垂直に立ち上がってジョイント端子部１２１に繋がる部位である。
【００１１】
第２ハウジング１３０は、一端に第２端子収容部１３１を備えている。この第２端子収容部１３１は、ジョイント端子部１２１に嵌合する複数の端子金具を収容して、第１ハウジング１１０のハウジング嵌合部１１２に嵌合する。
【００１２】
第２ハウジング１３０の他端には、第２端子収容部１３１内の端子金具に接続された電線１６０が導出する複数の電線挿通孔が備えられている。
【先行技術文献】
【特許文献】
【００１３】
【特許文献１】特開２０１０−２１２１３７号公報
【発明の概要】
【発明が解決しようとする課題】
【００１４】
ところで、前述のジョイントコネクタ１００の場合、アース端子部１２２の接地板部１２２ａを確実に接地筐体１４０に面接触させるために、ジョイント端子部１２１から延出する起立板部１２２ｂは、第１ハウジング１１０の下面よりも下方まで延出している。そのため、接地筐体１４０に接地板部１２２ａをねじ止めした場合に、第１ハウジング１１０の下面と接地筐体１４０との間には、隙間が残存する状態になる。
【００１５】
即ち、接地筐体１４０に固定される第１ハウジング１１０は、接地筐体１４０から浮いた状態になっている。そして、接地板部１２２ａから離れる第１ハウジング１１０のハウジング嵌合部１１２には、接地筐体１４０から浮いている状態で第２ハウジング１３０の重量が作用するため、外部の振動によって、ハウジング嵌合部１１２側に振れが生じ易く、ハウジング嵌合部１１２側に発生する振れが耐震性を低下させるおそれがある。
【００１６】
そこで、第１ハウジング１１０の下面を接地筐体１４０に固定するスペーサ等の固定専用の部品を追加することも考えられるが、別部品のスペーサ等を追加すると、構成部品の増加や組立工程数の増加によって、製造コストが高額化するという問題が生じる。
【００１７】
そこで、本発明の目的は、上記課題を解消することに係り、ジョイントコネクタを筐体へ固定する際に、固定専用の部品等を追加せずに、ジョイントコネクタのハウジングと筐体との間の隙間を埋めて、耐震性を向上させることのできるジョイントコネクタを提供することにある。
【課題を解決するための手段】
【００１８】
本発明の前述した目的は、下記の構成により達成される。
（１）  一端にジョイント端子収容部を備えると共に、他端にハウジング嵌合部を備えた第１ハウジングと、
前記ジョイント端子収容部に収容されて支持されるジョイント端子部を一端に備えると共に、他端には前記ジョイント端子収容部から第１ハウジングの外部に突出して平坦な接地筐体のアース接続部にねじ止め可能なアース端子部を備えるアース端子付きジョイント端子と、
前記ジョイント端子部に嵌合する複数の端子金具を収容して前記ハウジング嵌合部に嵌合する第２端子収容部を一端に備えると共に、他端には前記端子金具に接続された電線が導出する電線挿通部が備えられた第２ハウジングと、
前記第２ハウジングの他端側と前記他端から導出する電線群の周囲を覆って前記電線群の導出方向を規制する電線カバーであって、前記第２ハウジングの側方からの挿抜操作により前記第２ハウジングの他端と前記電線群の上に着脱可能な電線カバーと、
を備えるジョイントコネクタであって、
前記アース端子部は、前記平坦な接地筐体の表面に重ねられて前記アース接続部にねじ止めされる接地板部と、該接地板部の一側から略垂直に立ち上がって前記ジョイント端子部に繋がる起立板部と、を備え、
前記電線カバーは、該電線カバーに一体形成された平板部であって、前記接地板部を前記アース接続部にねじ止めした状態で前記第１ハウジングと前記接地筐体との間に残存する隙間に進入して前記隙間を埋める平板部と、該平板部が前記隙間に進入するときに前記起立板部が挿通するように前記平板部に形成されたスリットと、を備えたことを特徴とするジョイントコネクタ。
【００１９】
（２）  前記電線カバーの前記第２ハウジングの他端側と前記電線群の周囲を覆う部位は、一側がヒンジ結合された上下一対のカバー部で形成されていて、前記一対のカバー部を開いた状態にすることで、前記第２ハウジングの他端と前記電線群の上に挿抜可能なことを特徴とする上記（１）に記載のジョイントコネクタ。
【００２０】
（３）  前記アース端子部は、前記アース接続部とのねじ止め位置から離れた位置で前記接地筐体に係合する係合爪を備え、係合爪の係合によって回り止めされることを特徴とする上記（１）又は（２）に記載のジョイントコネクタ。
【００２１】
上記（１）の構成によれば、アース端子付きジョイント端子においてジョイント端子部から延出する起立板部は、接地板部を確実に接地筐体に面接触させるために、第１ハウジングの下面よりも下方まで延出している。従って、第１ハウジングに取り付けられている接地板部を接地筐体に固定すると、第１ハウジングの下面と接地筐体との間には、隙間が生じる。
【００２２】
しかし、上記（１）の構成によれば、第１ハウジングに嵌合接続された第２ハウジングに電線カバーを装着すると、該電線カバーに装備されている平板部が、第１ハウジングと接地筐体との間に残存する隙間に進入して隙間を埋める。
【００２３】
即ち、第１ハウジングは、電線カバーの平板部を介して接地筐体に当接した状態に、接地筐体に固定される。そのため、外部の振動によって第１ハウジングのハウジング嵌合部側に振れが発生することを防止することができ、耐震性を向上させることができる。
【００２４】
また、第１ハウジングと接地筐体との間に残存する隙間を埋める平板部は、電線カバーに装備されていて、ジョイント端子収容部の下面を接地筐体に固定する固定専用の部品等を追加する必要がない。
【００２５】
即ち、上記（１）の構成によれば、ジョイントコネクタを筐体へ固定する際に、固定専用の部品等を追加せずに、ジョイントコネクタの第１ハウジングと接地筐体との間の隙間を埋めて、耐震性を向上させることができ、安価に耐震性の向上を図ることができる。
【００２６】
また、電線カバーは、第２ハウジングの側方からの挿抜操作により第２ハウジングの他端と電線群の上に着脱することができ、更に、第２ハウジングへの挿入操作時に、平板部が第１ハウジングと接地筐体との間に残存する隙間に進入するため、電線カバーの取り付け作業が容易である。
【００２７】
上記（２）の構成によれば、電線カバーにおいて第２ハウジングの他端側と電線群の周囲を覆う部位は、一側がヒンジ結合された上下一対のカバー部で形成されていて、一対のカバー部を開いた状態で第２ハウジングの側方から取り付けた後、一対のカバー部を閉じた状態にすることによって、簡単に、第２ハウジングの他端側と電線群に固定することができる。
【００２８】
上記（３）の構成によれば、アース端子部に回り止め用の係合爪が備えられている。そのため、第１ハウジング及び第２ハウジングには、接地筐体と係合する回り止め用の突起部を突設する必要がなく、第１ハウジング及び第２ハウジングの構造を単純にすることができる。
【発明の効果】
【００２９】
本発明によるジョイントコネクタによれば、第１ハウジングに嵌合接続された第２ハウジングに電線カバーを装着すると、該電線カバーに装備されている平板部が、第１ハウジングと接地筐体との間に残存する隙間を埋める。即ち、第１ハウジングは、電線カバーの平板部を介して接地筐体に当接した状態に、接地筐体に固定される。そのため、外部の振動によって第１ハウジングのハウジング嵌合部側に振れが発生することを防止することができ、耐震性を向上させることができる。
【００３０】
また、第１ハウジングと接地筐体との間に残存する隙間を埋める平板部は、電線カバーに装備されていて、ジョイント端子収容部の下面を接地筐体に固定する固定専用の部品等を追加する必要がない。
【００３１】
即ち、本発明によるジョイントコネクタによれば、ジョイントコネクタを筐体へ固定する際に、固定専用の部品等を追加せずに、ジョイントコネクタのハウジングと筐体との間の隙間を埋めて、耐震性を向上させることのでき、安価に耐震性の向上を図ることができる。
【００３２】
また、電線カバーは、第２ハウジングの側方からの挿抜操作により第２ハウジングの他端と電線群の上に着脱することができ、更に、第２ハウジングへの挿入操作時に、平板部が第１ハウジングと接地筐体との間に残存する隙間に進入するため、電線カバーの取り付け作業が容易である。
【００３３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００３４】
【図１】図１は本発明に係るジョイントコネクタの一実施形態の分解斜視図である。
【図２】図２は図１に示した第１ハウジングと第２ハウジングとの嵌合状態における側面図である。
【図３】図３は図１に示した第１ハウジングと第２ハウジングとの嵌合状態における下面側からの斜視図である。
【図４】図４は図１に示した電線カバーを第２ハウジングに挿入装着するときの状態を示す斜視図である。
【図５】図５は電線カバーの装着を終えた一実施形態のジョイントコネクタの斜視図である。
【図６】図６は電線カバーの装着を終えた一実施形態のジョイントコネクタの斜視図である。
【図７】図７は電線カバーの装着を終えた一実施形態のジョイントコネクタの側面図である。
【図８】図８は図１は電線カバーの装着を終えた一実施形態のジョイントコネクタが接地筐体にねじ止めされた状態の斜視図である。
【図９】図９は従来のジョイントコネクタを示す斜視図である。
【発明を実施するための形態】
【００３５】
以下、本発明に係るジョイントコネクタの好適な実施形態について、図面を参照して詳細に説明する。
【００３６】
図１〜図８は本発明に係るジョイントコネクタの一実施形態を示したもので、図１は本発明の一実施形態のジョイントコネクタの分解斜視図、図２は図１に示した第１ハウジングと第２ハウジングとの嵌合状態における側面図、図３は図１に示した第１ハウジングと第２ハウジングとの嵌合状態における下面側からの斜視図、図４は図１に示した電線カバーを第２ハウジングに挿入装着するときの状態を示す斜視図、図５は電線カバーの装着を終えた一実施形態のジョイントコネクタの斜視図、図６は電線カバーの装着を終えた一実施形態のジョイントコネクタの斜視図、図７は電線カバーの装着を終えた一実施形態のジョイントコネクタの側面図、図８は電線カバーの装着を終えた一実施形態のジョイントコネクタが接地筐体にねじ止めされた状態の斜視図である。
【００３７】
一実施形態のジョイントコネクタ１は、第１ハウジング１０と、アース端子付きジョイント端子２０と、第２ハウジング３０と、電線カバー４０と、を備えている。
【００３８】
第１ハウジング１０は、図２に示すように、一端（後端）１０ａにジョイント端子収容部１１を備えると共に、他端（前端）１０ｂにハウジング嵌合部１２を備えている。ジョイント端子収容部１１は、後述するジョイント端子部を第１ハウジング１０の一端１０ａから挿入可能な端子収容部である。ハウジング嵌合部１２は、第２ハウジング３０が嵌合する筒状のフード部である。
【００３９】
また、第１ハウジング１０は、図１に示すように、上部外周面にロックアーム１４を有している。ロックアーム１４は、図１に示すように、ハウジング嵌合部１２に嵌合接続された第２ハウジング３０の上部外周面の係止突起３４と係合して、ハウジング相互の接続状態をロックする。
【００４０】
アース端子付きジョイント端子２０は、金属板のプレス成形により、一体形成される。このアース端子付きジョイント端子２０は、不図示のジョイント端子部を一端に備えると共に、他端にはアース端子部２２を備えている。
【００４１】
不図示のジョイント端子部は、例えば、舌状の接続端子片を櫛歯状に多数連設した構造で、第１ハウジング１０のジョイント端子収容部１１に収容されて、該ジョイント端子収容部１１に支持される。一実施形態の図面に示したアース端子付きジョイント端子２０は、不図示のジョイント端子部が既にジョイント端子収容部１１に収容された状態である。
【００４２】
アース端子部２２は、図２及び図３に示すように、不図示のジョイント端子部がジョイント端子収容部１１に収容された状態において、ジョイント端子収容部１１から第１ハウジング１０の外部に突出する。このアース端子部２２は、表面が平坦な接地筐体５０（図８参照）のアース接続部５１にねじ止めされる部位である。
【００４３】
アース端子部２２は、図２及び図３及び図８に示すように、平坦な接地筐体５０の表面に重ねられる接地板部２２ａと、該接地板部２２ａの一側から略垂直に立ち上がる起立板部２２ｂと、を備えている。
【００４４】
接地板部２２ａは、図１に示すように、ねじ部材を挿通させる取付孔２２１を有している。接地板部２２ａは、図８に示すように、平坦な接地筐体５０の表面に重ねられて、取付孔２２１を挿通するねじ部材６１によって、アース接続部５１にねじ止めされる。アース接続部５１は、図示はしていないが、ねじ部材６１が螺合するねじ部（雌ねじ部）を有している。
【００４５】
起立板部２２ｂは、前記接地板部２２ａの一側から略垂直に立ち上がって、不図示のジョイント端子部に繋がる。この起立板部２２ｂは、接地板部２２ａを確実に接地筐体５０の表面に面接触させるために、図２及び図３に示すように、寸法Ｌだけ、第１ハウジング１０の下面よりも下方まで延出している。そのため、接地筐体５０に接地板部２２ａをねじ止めした場合に、第１ハウジング１０の下面と接地筐体１４０との間には、図２に示すように、寸法Ｌの隙間Ｓが残存する状態になる。
【００４６】
本実施形態のアース端子部２２は、図２及び図３に示すように、起立板部２２ｂとは逆側となる接地板部２２ａの端部に、係合爪２３を備えている。係合爪２３は、接地板部２２ａの端部から延出する突片を直角に折り曲げることで形成されている。この係合爪２３は、図８に示すように、接地筐体５０に形成された係止孔５３に嵌入して、回り止めを果たす。本実施形態の場合、係合爪２３の装備位置は、接地板部２２ａ上の取付孔２２１の位置から所定距離だけ離間している。言い換えると、本実施形態のアース端子部２２は、アース接続部５１とのねじ止め位置から離れた位置で接地筐体５０に係合する係合爪２３を備え、係合爪２３の係合によって回り止めされる。
【００４７】
第２ハウジング３０は、図１に示すように、ハウジング嵌合部１２に嵌合する第２端子収容部３１を一端に備えると共に、他端には、電線挿通部３２を備えている。
【００４８】
第２端子収容部３１は、アース端子付きジョイント端子２０のジョイント端子部に嵌合する複数の端子金具を収容した部位である。図１に示すように、第２端子収容部３１がハウジング嵌合部１２に嵌合すると、第２端子収容部３１内に収容保持されている端子金具が、ジョイント端子部の端子片に嵌合接続される。
【００４９】
電線挿通部３２は、図３及び図４に示すように、第２端子収容部３１に収容される端子金具に接続された電線（不図示）が導出する複数の電線導出孔３２ａを有している。
【００５０】
また、本実施形態の第２ハウジング３０は、図１に示すように、第２端子収容部３１の上部外面に、係止突起３４が突設されている。係止突起３４は、第２端子収容部３１とハウジング嵌合部１２との嵌合が完了したときに、第１ハウジング１０上のロックアーム１４と係合して、両ハウジングの接続状態をロックする。
【００５１】
電線カバー４０は、図１に示すように、上下一対のカバー部４１，４２を備えるカバー本体部４３と、該カバー本体部４３の一部に一体形成された平板部４５とを備えている。
【００５２】
カバー本体部４３は、第２ハウジング３０の他端側（即ち、電線挿通部３２の開放端側）と前記他端から導出する電線群の周囲を覆う部位である。このカバー本体部４３を構成する上下一対のカバー部４１，４２は、コネクタ幅方向（図４では矢印Ｘ１方向）の一側が、薄肉ヒンジ４７によりヒンジ結合されている。図４に示すように、上下一対のカバー部４１，４２は、薄肉ヒンジ４７の部分を回動支点として、開閉可能である。上下一対のカバー部４１，４２は、図４に示すように開いた状態から、図４に矢印Ｒで示す方向に上側のカバー部４１を回動させることで、閉じた状態にすることができる。一対のカバー部４１，４２を閉じた状態にしたときには、一方のカバー部に装備されている係止溝４１ａと他方のカバー部に装備されている係止突起４２ａとが係合して、閉じた状態を維持させることができる。
【００５３】
カバー本体部４３は、図４に示すように一対のカバー部４１，４２を開いた状態にして、第２ハウジング３０の一側からハウジングの幅方向に沿って挿入操作又は抜去操作をすることで、第２ハウジング３０の他端と不図示の電線群の上に挿抜可能である。
【００５４】
即ち、カバー本体部４３は、第２ハウジング３０の側方からの挿抜操作により、第２ハウジング３０の他端と電線群の上に、簡単に着脱することができる。
【００５５】
図１に示す矢印Ｂは、電線カバー４０を第２ハウジング３０に装着するときの電線カバー４０の挿入方向を示している。
【００５６】
一対のカバー部４１，４２を開いた状態にして第２ハウジング３０の他端と不図示の電線群の上に挿入したカバー本体部４３は、一対のカバー部４１，４２を閉じた状態にすることで、第２ハウジング３０の他端と不図示の電線群の外周を覆い、電線導出孔３２ａから導出する電線群の導出方向を規制することができる。
【００５７】
本実施形態の電線カバー４０の場合、平板部４５は、図１に示すように、カバー本体部４３の下側のカバー部４２に一体形成されている。平板部４５は、電線カバー４０を第２ハウジング３０に装着した際に、第１ハウジング１０の下に潜り込む。平板部４５は、その厚さ寸法ｔ（図１参照）が、第１ハウジング１０と接地筐体５０との間に残存する隙間Ｓの寸法Ｌ（図２参照）に略一致している。
【００５８】
言い換えると、平板部４５は、接地板部２２ａをアース接続部５１にねじ止めした状態で第１ハウジング１０と接地筐体５０との間に残存する隙間Ｓ（図２参照）に進入して、隙間Ｓを埋める。
【００５９】
平板部４５には、図１に示すように、スリット４８が備えられている。スリット４８は、平板部４５が隙間Ｓに進入するときに起立板部２２ｂが挿通するように、平板部４５に形成されている。
【００６０】
本実施形態のジョイントコネクタ１は、次の手順で組み立てられる。
まず、図１に示すように、アース端子付きジョイント端子２０が装着済みの第１ハウジング１０に、第２ハウジング３０が嵌合接続される。
【００６１】
次いで、図１に矢印Ｂで示すように、第２ハウジング３０に電線カバー４０を挿入装着して、図５に示す組立状態を得る。この組立状態では、図６に示すように、電線カバー４０の平板部４５が、第１ハウジング１０の下面の下に潜り込んでいて、平板部４５に形成したスリット４８に起立板部２２ｂが挿通している。
【００６２】
そして、組立完了したジョイントコネクタ１のアース端子部２２を、ねじ部材６１によって接地筐体５０のアース接続部５１にねじ止めする。アース端子部２２を接地筐体５０にねじ止めした状態では、図８に示すように、接地筐体５０と第１ハウジング１０との間の隙間が平板部４５で埋まっている。
【００６３】
以上に説明した一実施形態のジョイントコネクタ１の場合、アース端子付きジョイント端子２０においてジョイント端子部から延出する起立板部２２ｂは、接地板部２２ａを確実に接地筐体５０に面接触させるために、第１ハウジング１０の下面よりも下方まで延出している。従って、第１ハウジング１０に取り付けられている接地板部２２ａを接地筐体５０に固定すると、第１ハウジング１０の下面と接地筐体５０との間には、隙間Ｓが生じる。
【００６４】
しかし、一実施形態の構成によれば、第１ハウジング１０に嵌合接続された第２ハウジング３０に電線カバー４０を装着すると、該電線カバー４０に装備されている平板部４５が、第１ハウジング１０と接地筐体５０との間に残存する隙間Ｓに進入して隙間Ｓを埋める。
【００６５】
即ち、第１ハウジング１０は、電線カバー４０の平板部４５を介して接地筐体５０に当接した状態に、接地筐体５０に固定される。そのため、外部の振動によって第１ハウジング１０のハウジング嵌合部１２側に振れが発生することを防止することができ、耐震性を向上させることができる。
【００６６】
また、第１ハウジング１０と接地筐体５０との間に残存する隙間Ｓを埋める平板部４５は、電線カバー４０に装備されていて、ジョイント端子収容部１１の下面を接地筐体５０に固定する固定専用の部品等を追加する必要がない。
【００６７】
即ち、一実施形態の構成によれば、ジョイントコネクタ１を筐体へ固定する際に、固定専用の部品等を追加せずに、ジョイントコネクタ１の第１ハウジング１０と接地筐体５０との間の隙間Ｓを埋めて、耐震性を向上させることができ、安価に耐震性の向上を図ることができる。
【００６８】
また、電線カバー４０は、第２ハウジング３０の側方からの挿抜操作により第２ハウジング３０の他端と電線群の上に着脱することができ、更に、第２ハウジング３０への挿入操作時に、平板部４５が第１ハウジング１０と接地筐体５０との間に残存する隙間Ｓに進入するため、電線カバー４０の取り付け作業が容易である。
【００６９】
また、一実施形態のジョイントコネクタ１の場合、電線カバー４０において第２ハウジング３０の他端側と電線群の周囲を覆う部位は、一側がヒンジ結合された上下一対のカバー部４１，４２で形成されていて、一対のカバー部４１，４２を開いた状態で第２ハウジング３０の側方から取り付けた後、一対のカバー部４１，４２を閉じた状態にすることによって、簡単に、第２ハウジング３０の他端側と電線群に固定することができる。
【００７０】
また、一実施形態のジョイントコネクタ１の場合、アース端子部２２に回り止め用の係合爪２３が備えられている。そのため、第１ハウジング１０及び第２ハウジング３０には、接地筐体５０と係合する回り止め用の突起部を突設する必要がなく、第１ハウジング１０及び第２ハウジング３０の構造を単純にすることができる。
【００７１】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００７２】
例えば、第２ハウジングに対してその側方からの挿入操作で取り付けられる電線カバーのカバー本体部は、一側に電線を割り込ませるための切り離し部を設けた断面コ字状の一体構造にしてもよい。その場合に、切り離し部側の開口は、通常は電線群の外径よりも狭い開口幅に設定して、電線群を割り込ませるときには、開口の周縁部を撓ませて開口を拡げる形態であっても良い。
【００７３】
ここで、上述した本発明に係るジョイントコネクタの実施形態の特徴をそれぞれ以下［１］〜［３］に簡潔に纏めて列記する。
【００７４】
［１］  一端にジョイント端子収容部（１１）を備えると共に、他端にハウジング嵌合部（１２）を備えた第１ハウジング（１０）と、
前記ジョイント端子収容部（１１）に収容されて支持されるジョイント端子部を一端に備えると共に、他端には前記ジョイント端子収容部（１１）から第１ハウジング（１０）の外部に突出して平坦な接地筐体（５０）のアース接続部（５１）にねじ止め可能なアース端子部（２２）を備えるアース端子付きジョイント端子（２０）と、
前記ジョイント端子部に嵌合する複数の端子金具を収容して前記ハウジング嵌合部（１２）に嵌合する第２端子収容部（３１）を一端に備えると共に、他端には前記端子金具に接続された電線が導出する電線挿通部（３２）が備えられた第２ハウジング（３０）と、
前記第２ハウジング（３０）の他端側と前記他端から導出する電線群の周囲を覆って前記電線群の導出方向を規制する電線カバー（４０）であって、前記第２ハウジング（３０）の側方からの挿抜操作により前記第２ハウジング（３０）の他端と前記電線群の上に着脱可能な電線カバー（４０）と、
を備えるジョイントコネクタ（１）であって、
前記アース端子部（２２）は、前記平坦な接地筐体（５０）の表面に重ねられて前記アース接続部（５１）にねじ止めされる接地板部（２２ａ）と、該接地板部（２２ａ）の一側から略垂直に立ち上がって前記ジョイント端子部に繋がる起立板部（２２ｂ）と、を備え、
前記電線カバー（４０）は、該電線カバー（４０）に一体形成された平板部（４５）であって、前記接地板部（２２ａ）を前記アース接続部（５１）にねじ止めした状態で前記第１ハウジング（１０）と前記接地筐体（５０）との間に残存する隙間（Ｓ）に進入して前記隙間（Ｓ）を埋める平板部（４５）と、該平板部（４５）が前記隙間（Ｓ）に進入するときに前記起立板部（２２ｂ）が挿通するように前記平板部（４５）に形成されたスリット（４８）と、を備えたことを特徴とするジョイントコネクタ（１）。
【００７５】
［２］  前記電線カバー（４０）の前記第２ハウジング（３０）の他端側と前記電線群の周囲を覆う部位は、一側がヒンジ結合された上下一対のカバー部（４１，４２）で形成されていて、前記一対のカバー部（４１，４２）を開いた状態にすることで、前記第２ハウジング（３０）の他端と前記電線群の上に挿抜可能なことを特徴とする上記［１］に記載のジョイントコネクタ（１）。
【００７６】
［３］  前記アース端子部（２２）は、前記アース接続部（５１）とのねじ止め位置から離れた位置で前記接地筐体（５０）に係合する係合爪（２３）を備え、係合爪（２３）の係合によって回り止めされることを特徴とする上記［１］又は［２］に記載のジョイントコネクタ（１）。
【符号の説明】
【００７７】
１  ジョイントコネクタ
１０  第１ハウジング
１１  ジョイント端子収容部
１２  ハウジング嵌合部
２０  アース端子付きジョイント端子
２２  アース端子部
２２ａ  接地板部
２２ｂ  起立板部
２３  係合爪
３０  第２ハウジング
３１  第２端子収容部
３２  電線挿通部
４０  電線カバー
４１，４２  カバー部
４３  カバー本体部
４５  平板部
４８  スリット
５０  接地筐体
５１  アース接続部
Ｓ  隙間
【図１】
2014089811.tif 000003
【図２】
2014089811.tif 000004
【図３】
2014089811.tif 000005
【図４】
2014089811.tif 000006
【図５】
2014089811.tif 000007
【図６】
2014089811.tif 000008
【図７】
2014089811.tif 000009
【図８】
2014089811.tif 000010
【図９】
2014089811.tif 000011